(57)【要約】【課題】  文字の内側とエッジ部で極端に異なる処理を行うと擬似輪郭のように見えてしまうような問題があった。【解決手段】  デジタルフィルタを用いて所望の空間周波数の強調・抽出を行い、その結果を２つの閾値（正と負）で判定することにより、内エッジ信号と外エッジ信号を得、この両者の信号をそれぞれ決められた領域で積算する手段を用いて、主に内エッジ信号を外エッジ信号と逆方向に拡大する。【選択図】  図１
2005176222.tif 000002
【特許請求の範囲】
【請求項１】
入力した画像信号に対して、文字／線画部の判定を行う画像処理装置において入力した画像信号に対して、所望の空間周波数を強調・抽出するデジタルフィルタと、
前記フィルタの出力結果を予め決められた第１の閾値と比較し、第１の判定結果を得る第１の判定手段と、
前記フィルタの出力結果を予め決められた第２の閾値と比較し、第２の判定結果を得る第２の判定手段と、
前記、第１の判定手段の判定結果を定められた領域分加算し、加算結果を出力する加算手段と、
該加算結果を予め決められた第３の閾値と比較し、第３の判定結果を得る第３の判定手段と、
前記、第２の判定手段の判定結果を定められた領域分加算し、加算結果を出力する加算手段と、
該加算結果を予め決められた第４の閾値と比較し、第４の判定結果を得る第４の判定手段
とを備え、
少なくとも、前記第３の判定結果と第４の判定結果に基づいて、文字／線画部のエッジ部分の判定を行うことを特徴とする画像処理装置。
【請求項２】
前記文字／線画部のエッジ部分の判定結果を定められた領域分加算し、加算結果を出力する加算手段と、
該加算結果を予め決められた第５の閾値と比較し、第５の判定結果を得る第５の判定手段と、
前記、第１から第４の判定手段のいずれかの判定結果に対して定められた領域分加算し、加算結果を出力する加算手段と、
該加算結果を予め決められた第６の閾値と比較し、第６の判定結果を得る
第６の判定手段
とを備え
少なくとも、前記第５の判定結果と第６の判定結果に基づいて、文字／線画部の内側部分の判定を行うことを特徴とする請求項１記載の画像処理装置。
【発明の詳細な説明】
【技術分野】
【０００１】
本発明は画像処理装置に関し、詳しくは、入力した画像の文字／線画部分を検出し、その部分に最適な画像処理を施す画像処理装置に関する。
【背景技術】
【０００２】
この種の装置として、電子写真方式の記録装置が一般的に知られている。
【０００３】
このような記録装置は、読み取りユニットに、例えばＣＣＤ等の光電変換素子を備え、これを原稿に対して走査させることにより原稿上の画像を電気信号に変換する。そして、この読み取りによって得られた電気信号に基づいてレーザーあるいはＬＥＤ等を駆動することに感光ドラム上に潜像を形成し、潜像によって電位差を生じたところにトナーを現像して、これを記録紙等の被記録媒体上に転写して再生させるものである。
【０００４】
上記のような装置においては、読み取り時にレンズの収差やＣＣＤの開口等に起因する像ぼけや潜像特性や転写・定着等プロセス要因による再生画像の劣化により、読み取った画像を紙上に再生するさいに、画像のＭＴＦが劣化してしまうという問題が生じる。
【０００５】
上記のようなＭＴＦ劣化による文字部の画質劣化を補正する為に文字／線画部の判定を行い、判定された箇所に最適な画像処理（例えばエッジ強調等）の処理を行うものは多数提案されている（例えば、特許文献１）。
【特許文献１】特開平04-142880号公報
【発明の開示】
【発明が解決しようとする課題】
【０００６】
しかし、電子写真におけるＭＴＦの劣化は非常に複雑であり、文字／線画部のエッジだけを判定・最適な処理を施しても良好な画質は得られない。
【０００７】
従来の方式では、エッジの１〜２画素しか判定できない方法か、あるいは広いエリアを判定する方法もあるが、そのような方法は、非常に多くのメモリが必要となり、多大なコスト負担がかかっていた。
【０００８】
例えば、黒文字領域は、ブラックトナーのみで印字したいような場合、黒文字のエッジ部１〜２画素しか文字と判定できないような処理では、黒文字領域全体に所望の処理を行うことが出来ない。
【０００９】
また、やや太い文字等では、文字の内側とエッジ部で極端に異なる処理を行うと擬似輪郭のように見えてしまうような問題があった。
【課題を解決するための手段】
【００１０】
本発明は上述の観点に基づいてなされたものであり、その目的とするところは、文字のエッジ部と判定される領域を成るべく広くとる。また、文字の内側と判定される領域を広くとることにある。
【００１１】
そのために、本発明では、デジタルフィルタを用いて所望の空間周波数を強調・抽出し、その結果を２つの閾値（正と負）で判定することにより、内エッジ信号と外エッジ信号を得、この両者の信号をそれぞれ決められた領域で積算することで、文字のエッジを広く判定できる。また、文字の内側部分の判定を行うことも出来る。
【００１２】
即ち、本発明では、入力した画像信号に対して、文字／線画部の判定を行う画像処理装置において入力した画像信号に対して、所望の空間周波数を強調・抽出するデジタルフィルタと、前記フィルタの出力結果を予め決められた第１の閾値と比較し、第１の判定結果を得る第１の判定手段と、
前記フィルタの出力結果を予め決められた第２の閾値と比較し、第２の判定結果を得る第２の判定手段と、
前記、第１の判定手段の判定結果を定められた領域分加算し、加算結果を出力する加算手段と、
該加算結果を予め決められた第３の閾値と比較し、第３の判定結果を得る第３の判定手段と、
前記、第２の判定手段の判定結果を定められた領域分加算し、加算結果を出力する加算手段と、
該加算結果を予め決められた第４の閾値と比較し、第４の判定結果を得る第４の判定手段とを有し少なくとも、前記第３の判定結果と第４の判定結果に基づいて、文字／線画部のエッジ部分の判定を行うことを特徴とする。
【発明の効果】
【００１３】
以上説明したように、本発明では、先ず、デジタルフィルタを用いて所望の空間周波数の強調・抽出を行う。
【００１４】
そして、その結果を２つの閾値（正と負）で判定することにより、内エッジ信号と外エッジ信号を得、この両者の信号をそれぞれ決められた領域で積算する手段を用いて、主に内エッジ信号を外エッジ信号と逆方向に拡大することで、文字のエッジを広く判定できる。
【００１５】
また、この判定された文字エッジ信号と外エッジ信号をそれぞれ決められた領域で積算する手段を用いて、文字エッジ信号からみて外エッジ信号と逆方向に広がる領域である文字の内側部分の判定を行うことも出来る。
【００１６】
上記判定結果を用いて、最適な画像処理を施すことが出来、良好な印字出力を得ることが出来る。
【発明を実施するための最良の形態】
【００１７】
（実施例１）
【００１８】
以下、本発明の実施例を図面を用いて詳細に説明する。
【００１９】
図２は本発明の１実施例を示す画像複写可能な記録装置の内部構成図である。
【００２０】
原稿読み取り装置３００は、原稿台ガラス３０２の上に置かれた原稿を、照明ランプ３０６からの光及び拡散板３０４で拡散された光により照明させ、その反射光をミラー３０５、３０８、３０９を通し、レンズ３１０を介して、ＣＣＤ３１１上に結像させ、光電変換して画像信号を得る。
【００２１】
本実施例のＣＣＤ３１１は手前から奥に７２００画素が並んでおり、Ｒ（レッド）、Ｇ（グリーン）、Ｂ（ブルー）の３列から構成されている。
【００２２】
拡散板３０４、ミラー３０５、ランプ３０６の載った読み取りユニット３０３は、不図示のレール上を左右に移動し、ミラー３０８・３０９の載ったミラーユニット３０７もそれに同期した移動を行う。
【００２３】
この２つのユニットが左右に移動することで、原稿全体を読み取ることができる。
【００２４】
原稿圧板３０１は、原稿を原稿台ガラス３０２に押し付けるためのものである。
【００２５】
次に画像信号は、画像処理（後述）を施され、プリンタ２００に送られる。
【００２６】
プリンタ２００では、被記録材である紙を収納しているカセット２０１から、ピックアップローラ２０２により紙が引き出され、第１レジローラ２０３・ガイド板２０４・第２レジローラ２０５を通って搬送ベルト２０６上に吸着される。
【００２７】
一方、画像信号はＣＭＹＫの４色に分けられる。そのうちＣ（シアン）信号はＬＥＤアレイ２１２ａにより光信号に変えられ、ドラム２１４ａ上に潜像として記録される。
【００２８】
このドラム２１４ａ上の潜像が現像器２１３ａにより現像され、ドラム上にトナーがのる。
【００２９】
この現像された画像のトナーは、プラテン２０７上で紙に転写される。
【００３０】
このプロセスは周知の電子写真プロセスである。
【００３１】
残るM（マゼンタ）、Ｙ（イエロー）、Ｋ（ブラック）も同じようにＬＥＤアレイ、ドラム、現像器のセットにより、同様に周知の電子写真プロセスにより紙に像を転写される。
【００３２】
紙に転写されたトナーは、定着器２０８により紙に定着される。
【００３３】
定着が終了した紙は、排紙ガイド２０９・排紙ローラ２１０を経て、排紙トレイ２１１に排出される。
【００３４】
図４は、本発明の第１の実施例を示すブロック図である。
【００３５】
図４において、４０１は入力センサ部、４０２は入力データの補正を行う補正回路、４０３はＬＯＧ変換回路で、１次元のルックアップテーブルによりＲＧＢ各画像データをＣＭＹデータに変換する。
【００３６】
４０４は、印字トナー（もしくはインク）の発色特性に対応した色信号（ＣＭＹＫ信号）に変換する色変換回路である。
【００３７】
４０５は、画像のＭＴＦ劣化を補正するデジタルフィルタである。
【００３８】
４０６は、画像濃度のリニアリティを補正するγ補正回路である。
【００３９】
４０７は、画像信号をスクリーン等の画像形成方式に応じた信号に変換する画像形成処理部である。
【００４０】
４０８は、画像形成処理部４０７から送られてくる画像データに基づき印字を行うプリンタ部である。
【００４１】
４０９は、画像信号から文字／線画部を判定する画像判定部である。
【００４２】
４０４から４０７は、画像判定部４０９から送られてきた判定信号に基づいて、画像処理の係数を切り替える構成となっている。
【００４３】
上記構成において入力センサ部４０１は、ＣＣＤ等の光電変換素子及びこれを走査する駆動装置により構成され原稿の読み取り走査を行う。入力センサ部４０１で読み取られた原稿の画像データは逐次入力補正回路４０２に送られる。ここでは、各画素画像データをデジタルデータに量子化し、ＣＣＤセンサの感度ムラや照明光源による照度ムラを補正するためのシェーディング補正等をデジタル演算処理で行う。
【００４４】
補正された入力画像データは、ＬＯＧ変換回路４０３に入力すると同時に画像判定部４０９にも入力される。
【００４５】
画像判定部４０９の詳細は後述するが、出力として、文字エッジ判定/文字内部判定を含む象域判定信号が出力される。
【００４６】
一方、ＬＯＧ変換回路４０３に入力された画像信号は、１次元ルックアップテーブルにより、輝度信号であるＲＧＢ信号から濃度信号であるＣＭＹ信号に変換される。
【００４７】
ＬＯＧ変換回路４０３の出力は、色変換回路４０４に入力される。
【００４８】
色変換回路４０４は、３次元のマッピングテーブルで構成されており、入力したＣＭＹ信号の値をプリンタで再現する色度に近いＣＭＹＫ信号に変換する。
【００４９】
色変換回路４０４には、画像判定部４０９で生成された像域判定信号も入力される。
【００５０】
色変換回路４０４は、この像域判定信号に応じて画像係数を切り替えて色変換を行う。
【００５１】
例えば、文字エッジ部分でも文字内部部分でもないと判定された部分には、色味が忠実に再現され、かつ、ざらつきが目だたないようにブラック成分を少なくするような係数に文字エッジ部分と判定された部分には、ＵＣＲ量を多くし、色ズレが目立たないようにブラック成分を多くするような係数に文字内部部分と判定された部分には、上記２つの中間の係数にと言った具合に設定し、実際の色変換を行う。
【００５２】
色変換回路４０４の出力は、フィルタ４０５に入力される。
【００５３】
フィルタ４０５の構成は、例えば５ｘ５サイズからなり注目画素を含めた周辺５ｘ５領域の画素と係数の畳み込み演算によって出力結果を演算する。基本的な濃度を保存する為に各係数の総和は１となっている。
【００５４】
フィルタ４０５には、画像判定部４０９で生成された像域判定信号も入力される。
【００５５】
フィルタ４０５は、この像域判定信号に応じて画像係数を切り替えてフィルタ処理を行う。
【００５６】
例えば文字エッジ部分でも文字内部部分でもないと判定された部分には、滑らかな階調表現を行い、ざらつきが目立たないように平滑化を行うような係数に文字エッジ部分と判定された部分には、文字のシャープさを出すためにエッジ強調を行うような係数に文字内部部分と判定された部分には、上記２つの中間の係数にと言った具合に設定し、実際のフィルタ処理を行う。
【００５７】
フィルタ４０５の出力は、γ補正回路４０６に入力される。
【００５８】
γ補正回路４０６は、１次元のルックアップテーブルからなり、画像信号のγ補正を行う。
【００５９】
γ補正回路４０６の出力は、画像形成回路４０７に入力される。
【００６０】
画像形成回路４０７は、プリンタ部で印字を行う画像形成方式にデータを変換するγ補正回路４０６及び画像形成回路４０７にも、画像判定部４０９で生成された像域判定信号も入力される。
【００６１】
γ補正回路４０６及び画像形成回路４０７は、この像域判定信号に応じて画像係数を切り替えて処理を行う。
【００６２】
例えば文字エッジ部分でも文字内部部分でもないと判定された部分には、滑らかな階調表現を行い、ざらつきが目立たないように低線数スクリーン（ディザ）処理の画像形成を画像形成回路４０７が行い、それに最適なγ補正をγ補正回路４０６が行う。
【００６３】
文字エッジ部分と判定された部分には、文字のシャープさを出すために高線数スクリーン（ディザ）処理の画像形成を画像形成回路４０７が行い、それに最適なγ補正をγ補正回路４０６が行う。
【００６４】
文字内部部分と判定された部分には、上記２つの中間の線数のスクリーン（ディザ）処理の画像形成を画像形成回路４０７が行い、それに最適なγ補正をγ補正回路４０６が行う。
【００６５】
と言った具合に設定し、実際の処理を行う。
【００６６】
上記、一連の処理が施された画像データは、プリンタ部４０８に入力される。
【００６７】
プリンタ部４０８から印字されるプリント出力は、各領域に最適な処理を施された良好な印字品質となる。
【００６８】
次に、判定回路（画像判定部４０９）の詳細について説明する。
【００６９】
図１は、本実施例の判定回路の説明図である。
【００７０】
図１において、１０１は画像データの所望の周波数成分を強調・抽出するデジタルフィルタ、１０２・１０３・１０６・１０７・１１１・１１２は予め決められた閾値と信号値とを比較して比較結果を出力する比較器、１０４・１０５・１０９・１１０は、定められた領域内で各判定値を加算するエリア積算器、１０８・１１３は決められた論理に従って判定結果を出力するＬＵＴである。
【００７１】
１１４は、ｂｉｔ合成器、１１５は、入力信号をブレンドする合成器である。
【００７２】
上記構成において、入力画像信号は先ず、合成器１１５に入力される。
【００７３】
合成器１１５では、ＲＧＢ信号を所定の比率で混合して、３つの色をブレンドした輝度信号を作る。
【００７４】
この輝度信号に対して以下の判定処理を行うが、Ｒ，Ｇ，Ｂ,それぞれの信号に判定を行って、後で判定結果を合成する方式をとっても良い。
【００７５】
この輝度信号は、フィルタ１０１に入力される。
【００７６】
フィルタ１０１は、画像信号のエッジ成分の強調・抽出を行い、エッジ抽出信号を出力する。このフィルタの構成は、例えば５ｘ５サイズからなり注目画素を含めた周辺５ｘ５領域の画素と係数の畳み込み演算によって出力結果を演算する。所望の周波数のみを強調・抽出する為に各係数の総和は０となっている。
【００７７】
１０１から出力されたエッジ抽出信号は、比較器１０２と１０３に入力される。
【００７８】
比較器１０２には負の値の閾値が、比較器１０３には正の値の閾値が設定されている。
【００７９】
エッジ抽出信号は、正負の符号があり、本実施例のように画像信号が輝度信号の場合には図８で説明するように、エッジ部分を境に外側に正の値、内側に負の値が発生する。
【００８０】
よって、比較器１０２からは、負の閾値を下回った時判定される内エッジ信号、比較器１０３からは、正の閾値を超えた時判定される外エッジ信号がそれぞれ出力される。
【００８１】
比較器１０２から出力された内エッジ信号はエリア積算器１０４へ、比較器１０３から出力された外エッジ信号はエリア積算器１０５へ、それぞれ入力される。
【００８２】
エリア積算器１０４及び１０５は、例えば３ｘ３サイズからなり注目画素を含めた周辺３ｘ３領域の画素の判定信号を加算する。
【００８３】
比較器１０６及び１０７は、エリア積算器１０４及び１０５の出力結果を比較して判定結果を出力する。例えば、閾値としてそれぞれ２という値が設定されているとすると
比較器１０６は『周辺３ｘ３エリア内に内エッジと判定された画素が２個以上あるとき』に判定信号『１』を出力することになる。
【００８４】
同様に、比較器１０７は『周辺３ｘ３エリア内に外エッジと判定された画素が２個以上あるとき』に判定信号『１』を出力することになる。
【００８５】
それぞれの判定した結果を図３に示す。
【００８６】
ＬＵＴ１０８には、比較器１０２・１０６・１０７の信号が入力される。
【００８７】
ＬＵＴ１０８には、それぞれの比較器の出力結果に基づき決められた論理に従って判定結果を出力する役割を行っている。
【００８８】
例えば、以下のような条件となる。
【００８９】
注目画素が内エッジである。→１
上記以外で、注目画素周辺５ｘ５エリアに外エッジが２個以上ある。→０
上記以外で、注目画素周辺５ｘ５エリアに内エッジが２個以上ある。→１
上記いずれにも該当しない。→０
これをＬＵＴで表すと、以下のようなテーブルで表現できる。
【００９０】
【表１】
2005176222.tif 000003
次に、文字／線画の内側部分の判定の説明を行う。
【００９１】
ＬＵＴ１０８から出力された文字エッジ判定信号はエリア積算器１０９へ、比較器１０３から出力された外エッジ信号はエリア積算器１１０へ、それぞれ入力される。
【００９２】
エリア積算器１０９及び１１０は、例えば５ｘ５サイズからなり注目画素を含めた周辺５ｘ５領域の画素の判定信号を加算する。
【００９３】
比較器１１１及び１１２は、エリア積算器１０９及び１１０の出力結果を比較して判定結果を出力する。例えば、閾値としてそれぞれ２という値が設定されているとすると比較器１１１は『周辺５ｘ５エリア内に文字エッジと判定された画素が２個以上あるとき』に判定信号『１』を出力することになる。
【００９４】
同様に、比較器１１２は『周辺５ｘ５エリア内に外エッジと判定された画素が２個以上あるとき』に判定信号『１』を出力することになる。
【００９５】
それぞれの判定した結果を図６に示す。
【００９６】
ＬＵＴ１１３には、ＬＵＴ１０８及び比較器１１１・１１２の信号が入力される。
【００９７】
ＬＵＴ１１３には、それぞれのＬＵＴ及び比較器の出力結果に基づき決められた論理に従って判定結果を出力する役割を行っている。
【００９８】
例えば、以下のような条件となる。
【００９９】
注目画素が文字エッジである。→０
上記以外で、注目画素周辺７ｘ７エリアに外エッジが２個以上ある。→０
上記以外で、注目画素周辺７ｘ７エリアに文字エッジが２個以上ある。→１
上記いずれにも該当しない。→０
これをＬＵＴで表すと、以下のようになる。
【０１００】
【表２】
2005176222.tif 000004
ＬＵＴ１０８とＬＵＴ１１３から出力される信号は、ｂｉｔ合成器１１４に入力される。
【０１０１】
ｂｉｔ合成器１１４は、各１ｂｉｔ信号を合成して、１つの信号として出力する。
【０１０２】
上記のような処理を行うことにより、文字エッジを広くとることが可能になり、また、文字の内側を判定することも出来、これらの領域に最適な処理を施すことが可能となる。
（実施例２）
【０１０３】
第２の実施例は、第１の実施例で判定していた『文字／線画のエッジ部分』『文字／線画の内側部分』に加えて、『文字／線画の内側判定の更に内側部分』も判定することに特徴がある。
【０１０４】
図５は、本発明の第２の実施例を表わす補正回路の図である。
【０１０５】
図５内の１０１から１１３までは図１の各ブロックと同様のものである。
【０１０６】
５０１・５０２は、定められた領域内で各判定値を加算するエリア積算器、５０３・５０４は予め決められた閾値と信号値とを比較して比較結果を出力する比較器、５０５は決められた論理に従って判定結果を出力するＬＵＴである。
【０１０７】
１０１から１１３までは実施例１と同じように動作し、ＬＵＴ１０８は文字エッジ判定信号を、ＬＵＴ１１３じゃ文字内部判定信号を出力する。
【０１０８】
次に、『文字／線画の内側判定』の更に内側部分の判定の説明を行う。
【０１０９】
ＬＵＴ１０８から出力された文字エッジ判定信号はエリア積算器５０１へ、ＬＵＴ１１３から出力された外エッジ信号はエリア積算器５０２へ、それぞれ入力される。
【０１１０】
エリア積算器５０１及び５０２は、例えば７ｘ７サイズからなり注目画素を含めた周辺７ｘ７領域の画素の判定信号を加算する。
【０１１１】
比較器５０３及び５０４は、エリア積算器５０１及び５０２の出力結果を比較して判定結果を出力する。例えば、閾値としてそれぞれ２という値が設定されているとすると比較器５０３は『周辺７ｘ７エリア内に文字エッジと判定された画素が２個以上あるとき』に判定信号『１』を出力することになる。
【０１１２】
同様に、比較器５０４は『周辺７ｘ７エリア内に外エッジと判定された画素が２個以上あるとき』に判定信号『１』を出力することになる。
【０１１３】
それぞれの判定した結果を図＊＊に示す。
【０１１４】
ＬＵＴ５０５には、ＬＵＴ１１３及び比較器５０３・５０４の信号が入力される。
【０１１５】
ＬＵＴ５０５には、それぞれのＬＵＴ及び比較器の出力結果に基づき決められた論理に従って判定結果を出力する役割を行っている。
【０１１６】
例えば、以下のような条件となる。
【０１１７】
注目画素が文字内部である。→０
上記以外で、注目画素周辺７ｘ７エリアに文字エッジが２個以上ある。→０
上記以外で、注目画素周辺７ｘ７エリアに文字内部が２個以上ある。→１
上記いずれにも該当しない。→０
これをＬＵＴで表すと、以下のようになる。
【０１１８】
【表３】
2005176222.tif 000005
上記のような処理を行うことにより、文字エッジ部分、文字内側部分、更に内側部分と、エリアを段階的に判定することが可能になり、更にきめ細かく係数を設定することが可能となり、印字出力に対して更に自然な処理を施すことが可能となる。
【０１１９】
勿論、各判定信号を用いて、更に更に内側を判定しても良い。
（実施例３）
【０１２０】
第３の実施例は、第１の実施例で判定していた『文字／線画のエッジ部分』『文字／線画の内側部分』の領域を更に広く判定する場合である。
【０１２１】
図７は、本発明の第３の実施例を表わす補正回路の図である。
【０１２２】
図７内の１０１から１１３までは図１の各ブロックと同様のものである。
【０１２３】
７０１・７０２は、定められた領域内で各判定値を加算するエリア積算器、７０３・７０４は予め決められた閾値と信号値とを比較して比較結果を出力する比較器、である。
【０１２４】
１０１から１１３までは実施例１と同じように動作し、ＬＵＴ１０８は文字エッジ判定信号を、ＬＵＴ１１３じゃ文字内部判定信号を出力する。
【０１２５】
ＬＵＴ１０８から出力された文字エッジ判定信号はエリア積算器７０１へ、ＬＵＴ１１３から出力された外エッジ信号はエリア積算器７０２へ、それぞれ入力される。
【０１２６】
エリア積算器７０１及び７０２は、例えば７ｘ７サイズからなり注目画素を含めた周辺７ｘ７領域の画素の判定信号を加算する。
【０１２７】
比較器７０３及び７０４は、エリア積算器７０１及び７０２の出力結果を比較して判定結果を出力する。例えば、閾値としてそれぞれ２という値が設定されているとすると比較器７０３は『周辺３ｘ３エリア内に文字エッジと判定された画素が１個以上あるとき』に判定信号『１』を出力することになる。
【０１２８】
同様に、比較器７０４は『周辺３ｘ３エリア内に外エッジと判定された画素が１個以上あるとき』に判定信号『１』を出力することになる。
【０１２９】
これらの処理は、判定した『文字エッジ判定信号』『文字内部判定信号』を３ｘ３領域で太らせ処理を行っていることに他ならない。
【０１３０】
文字エッジ判定は、主に文字の内側に広く判定することが望ましいが、文字の外側にも若干太らせることで、文字エッジ領域用のフィルタ処理等が適切にかかるようになり、更に品位の高い画像出力を得ることが出来る。
【図面の簡単な説明】
【０１３１】
【図１】本発明の第１実施例における判定回路の詳細を示したブロック図。
【図２】本発明の第１実施例を示した内部構成図。
【図３】信号の文字エッジ判定の詳細を示した図。
【図４】本発明の第１実施例を示したブロック図。
【図５】本発明の第２実施例における判定回路の詳細を示したブロック図。
【図６】信号の文字内部判定の詳細を示した図。
【図７】本発明の第３実施例における判定回路の詳細を示したブロック図。
【図８】外エッジ、内エッジを示す図。
【図１】
2005176222.tif 000006
【図２】
2005176222.tif 000007
【図３】
2005176222.tif 000008
【図４】
2005176222.tif 000009
【図５】
2005176222.tif 000010
【図６】
2005176222.tif 000011
【図７】
2005176222.tif 000012
【図８】
2005176222.tif 000013